(57)【要約】【課題】遊技者が長期間疲れなく発射ハンドルの回転位置を一定に保持することができる。【解決手段】発射ハンドル１１は、外周方向に突出する指掛け部４７を有して、発射装置が遊技球を発射する勢いを回転角に基づいて制御可能な回転部材４１と、回転部材４５がスラスト方向へ移動するのを回転部材４５の遊技盤側とその逆側から規制する１対の規制部材４３，４４とを備え、回転部材４５の指掛け部４７は、遊技盤側が開放した空間を内部に有し、遊技盤側に備えられた規制部材４４における回転部材４５側の端部外周の全周には、所定幅所定間隔で溝部４４ａが形成され、指掛け部４７内部の空間には、溝部４４ａに挿入された挿入物Ｍを係止する係止溝４７ａが形成されている。【選択図】図４
2007236871.tif 000002
【特許請求の範囲】
【請求項１】
遊技物を有する遊技盤と、
前記遊技盤に遊技球を発射する発射装置と、
前記発射装置が遊技球を発射する勢いを回転角に基づいて制御可能な発射ハンドルと、を備えた遊技機において、
前記発射ハンドルは、外周方向に突出する指掛け部を有して、前記発射装置が遊技球を発射する勢いを回転角に基づいて制御可能な回転部材と、前記回転部材がスラスト方向へ移動するのを前記回転部材の前記遊技盤側とその逆側から規制する１対の規制部材とを備え、
前記回転部材の指掛け部は、前記遊技盤側が開放した空間を内部に有し、
前記遊技盤側に備えられた前記規制部材における前記回転部材側の端部外周の全周には、所定幅所定間隔で溝部が形成され、前記指掛け部内部の空間には、前記溝部に挿入された挿入物を係止する係止溝が形成されていることを特徴とする遊技機。
【発明の詳細な説明】
【技術分野】
【０００１】
本発明は、パチンコ機等の遊技機に関し、特に、遊技球を発射する発射装置を操作する発射ハンドルを備えた遊技機に関する。
【背景技術】
【０００２】
従来、遊技機は、遊技部材を設けてある遊技盤に遊技球を発射する発射装置を操作する発射ハンドルを備えている。発射ハンドルは、主として、発射装置が遊技球を発射する勢いを回転角に基づいて制御可能な回転部材と、この回転部材がスラスト方向へ移動するのを回転部材のスラスト方向の両側から規制する１対の規制部材等で構成されている（特許文献１参照）。そして、回転部材が円滑に回転できるように、規制部材と回転部材との間に僅かな隙間を設けてある。
【０００３】
また、発射ハンドルは、遊技者によって回転部材が復帰ばねに抗して回転されると、その回転角に応じて、発射装置の発射力を変えるようになっている。復帰ばねは、回転部材を回転開始位置に復帰回転させるようになっている。このため、遊技者は、遊技を開始して間もない間、遊技部材の入賞口に入賞する遊技球の割合が最も高い発射ハンドルの最適な回転位置を探し出し、その後、その最適な回転位置を微調整しながら発射ハンドルを保持し続けて、遊技を継続することが多い。なお、遊技機は、遊技者が発射ハンドルから手を離すと、回転部材が復帰ばねによって回転開始位置に復帰回転して発射装置が発射動作を停止させるようになっている。
【０００４】
これに対して、遊技者が、遊技中、遊技機から離れて、タバコを購入したり、休憩したりすることがあり、このようなとき、遊技者が発射ハンドルから手を離すため、回転部材は復帰ばねによって、回転開始位置に復帰回転することになる。このため、遊技者によっては、遊技機に戻ったとき、再度、最適な回転位置を探し出す手間を省くために、発射ハンドドルの回転部材と規制部材との隙間にコイン等の挿入物を無理に押し込んで回転部材を最適な回転位置に仮固定してから、遊技機を離れることがある。
【０００５】
このように、発射ハンドルの回転部材と規制部材との間に挿入物を無理に押して込んで固定しようとすると、発射ハンドルに損傷を受けて操作不能になるという問題があり、下記特許文献２に記載のものでは、発射ハンドルの回転部材と規制部材との間の隙間に、隙間を埋める隙間埋め部材を設けて、この隙間にコイン等の挿入物が挿入されるのを阻止することが提案されている。
【０００６】
【特許文献１】特開平９−２２８６５号公報
【特許文献２】特開２００５−２９６０３７号公報
【発明の開示】
【発明が解決しようとする課題】
【０００７】
しかしながら、前述した従来技術のように、発射ハンドルの仮固定ができないものでは、発射ハンドルを最適な回転位置に長時間保持している遊技者に指の疲れを感じさせることがあった。また、発射ハンドルは表面にメッキや塗装が施されて滑りやすくなっているので、長時間同じ回転位置を保持しようとしても、手に汗が滲みまた疲労による握力の低下が生じて、握り位置がずれるおそれがあった。
【０００８】
本発明は、このような事情に対処するものであって、発射ハンドルの回転部材と規制部材との間の隙間にコイン等の挿入物を無理に押し込むことができない構造で発射ハンドルの損傷を防ぎながら、しかも、ハンドルの滑りを防いで疲れなく発射ハンドルの回転位置を一定位置に保持することができる遊技機を提供することを目的としている。
【課題を解決するための手段】
【０００９】
このような目的を達成するために、本発明は、遊技物を有する遊技盤と、前記遊技盤に遊技球を発射する発射装置と、前記発射装置が遊技球を発射する勢いを回転角に基づいて制御可能な発射ハンドルと、を備えた遊技機において、前記発射ハンドルは、外周方向に突出する指掛け部を有して、前記発射装置が遊技球を発射する勢いを回転角に基づいて制御可能な回転部材と、前記回転部材がスラスト方向へ移動するのを前記回転部材の前記遊技盤側とその逆側から規制する１対の規制部材とを備え、前記回転部材の指掛け部は、前記遊技盤側が開放した空間を内部に有し、前記遊技盤側に備えられた前記規制部材における前記回転部材側の端部外周の全周には、所定幅所定間隔で溝部が形成され、前記指掛け部内部の空間には、前記溝部に挿入された挿入物を係止する係止溝が形成されていることを特徴とする。
【発明の効果】
【００１０】
このような特徴を有する本発明は、回転部材のスラスト方向の移動を１対の規制部材で規制しているので、回転部材と規制部材との間に大きな間隙が生じることが無く、間隙へのコイン等の挿入を防いで発射ハンドルの損傷を防止することができる。また、規制部材側の溝部と回転部材側の係止溝とにコイン等の挿入物を挿入することで、回転部材が仮保持されて、遊技者が回転部材を保持する保持力の一部を補うので、遊技者は長期間疲れなく発射ハンドルの回転位置を一定に保持することができる。
【００１１】
また、前述の溝部と係止溝の深さを適宜設定することで、遊技者が発射ハンドルから手を離すと溝部と係止溝に挿入したコイン等が外れるように設定でき、これによると不正な発射ハンドルの固定を防ぐことができる。
【００１２】
更に、遊技者は規制部材の溝部に指先を当てて発射ハンドルを保持することで、指先の滑りを防いで、効果的に発射ハンドルの保持を行うことができる。
【発明を実施するための最良の形態】
【００１３】
以下、本発明の実施形態の遊技機としてのパチンコ機を図に基づいて説明する。
【００１４】
図１は、本発明の実施形態の遊技機としてのパチンコ機の正面図である。図２は、図１の背面図である。図３は、発射装置と発射ハンドルを設けてある受け皿ユニットを手前側斜め上方から見た皿ユニットの外観斜視図である。図４は、発射ハンドルの側面図である。図５は、発射ハンドルの正面図である。
【００１５】
図１に示すように、遊技機としてのパチンコ機１１は、枠状の筐体１２、遊技盤保持枠１３、及び前面パネル１４等で構成されている。遊技盤保持枠１３は、遊技盤１６を有して、筐体１２に回転自在に設けてある。前面パネル１４は、遊技盤保持枠１３を開閉できるように、筐体１２に回転自在に設けてある。前面パネル１４は、遊技盤１６を覆うガラスを有して遊技盤１６を開閉するガラス枠１８と、遊技球としてのパチンコ球を発射する発射装置３１及びこの発射装置３１を操作する発射ハンドル４１を設けてある皿ユニット１９とを有している。
【００１６】
遊技盤１６の前面には、液晶からなる特別図柄表示画面２２を有するエスカッション２０と、複数の入賞口１５と、特別入賞口１７と、どの入賞口にも入らなかったパチンコ球が遊技盤１６から排出されるアウト口２１と、不図示の障害釘等を設けてある。特別図柄表示画面２２は、遊技盤１６のほぼ中央に位置してエスカッション２０の開口２０ａから露出するように設けてある。
【００１７】
図２に示すように、パチンコ機１１の背面側には、島に設置してある貯留装置から一度に多数のパチンコ球が送り込まれても受け止めることのできる賞球タンク２３と、賞球タンク２３から流出する賞球を案内する横案内路２４及び不図示の縦案内路と、表側に特別図柄表示画面２２を備えた液晶ユニット２５と、サブ制御基板２６と、パチンコ機全体を制御する主制御基板２７と、パチンコ機全体の電源となる電源ユニット２８と、賞球の払い出し制御を行う払い出し制御基板２９と、発射装置３１を発射制御する発射制御基板３０等を備えてある。
【００１８】
主制御基板２７は、パチンコ機全体を制御するため、パチンコ機１１の動作全体を管理するシステムプログラム及び遊技用の実行プログラムが予め記憶された半導体メモリ等からなる記憶部と、これらのプログラムを実行するマイクロプロセッサ（ＭＰＵ）とを備えている。
【００１９】
次に、図３乃至図５に基づいて、発射ハンドル４１を説明する。発射ハンドル４１は、皿ユニット１９に固定された本体４２と、本体４２に取り付けられた指先接触片４４と、指先接触片４４に取り付けられた掌接片４３と、指先接触片４４と掌接片４３とに両側から回転自在に支持された回転部材４５と、回転部材４５と掌接片４３との間に設けた付勢手段としての復帰ばね４６等を備えている。ここでの掌接片４３と指先接触片４４とが回転部材４５のスラスト方向への移動を規制する規制部材になっている。
【００２０】
回転部材４５は、指先接触片４４と掌接片４３とに支持されて回転できるようになっており、遊技者が回転しやすくするため、３つの第１乃至第３指掛け突起４７，４８，４９を、指を受け入れ可能な間隔に回転外周面４５ａに設けてある。
【００２１】
本体４２、指先接触片４４、回転部材４５及び掌接片４３はプラスチック成型品であるが、回転部材４５は導電性材料、例えば金属材料で形成されている。
【００２２】
掌接片４３及び回転部材４５が金属材料で形成されているのは、発射ハンドル４１に遊技者の手（体の一部）が触れたとき、発射ハンドル４１がアースされて発射装置３１が作動し、遊技者が発射ハンドル４１から手を離したとき、発射装置３１が自動的に停止するようにするためである。
【００２３】
指先接触片４４と回転部材４５との隙間、掌接片４３と回転部材４５との隙間は挿入物（例えばコイン）を押し込むことが出ないように微小に設計されており、必要に応じて、指先接触片４４と回転部材４５との隙間、掌接片４３と回転部材４５との隙間を埋める間隔埋めリングを設けて、その隙間に挿入物をこじるようにして無理やり押し込むことができないようにすることもできる。
【００２４】
因みに、間隔埋めリングを設ける場合には、指先接触片４４と回転部材４５との隙間と、掌接片４３と回転部材４５との隙間は、夫々約０．５ｍｍ乃至２ｍｍとし、この隙間が、例えば、約２ｍｍの場合、隙間埋めリング５の厚みは、約１．５ｍｍとする。言うまでもないが、隙間埋めリングの厚みは、回転部材４５の回転を阻害しない程度の厚みにするのが好ましい。
【００２５】
復帰ばね４６は、図１、図３において、回転部材４５を左方向に回転付勢するようになっている。回転部材４５は、復帰ばね４６によって左方向に回転力を受けて、不図示のストッパによって、図３に示す回転開始位置に位置決めされるようになっている。
【００２６】
以上の構成において、遊技者が皿ユニット１９にパチンコ球を供給して、例えば、図３に示す発射ハンドル４１の第１指掛け突起４７の左側に右手の親指を掛け、第２、第３指掛け突起４７，４８の間に人差し指を掛け、第２、第３指掛け突起４８，４９の間に中指を掛け、第３指掛け突起４９の右側に薬指、小指を掛けて、回転部材４５を図３に示す矢印方向に回転させると、発射装置３１が発射制御基板３０の制御によってパチンコ球を遊技盤１６に発射する。発射されたパチンコ球は、遊技盤１６を転動落下して、いずれかの入賞口１５，１７に入球すると、パチンコ機１１の背面に貯留してあるパチンコ球が、入賞口１５，１７に応じた数だけ皿ユニット１９に賞球として供給される。パチンコ球が、どこの入賞口１５，１７にも入球しない場合、アウト口２１からアウト球として排出される。
【００２７】
そして、発射ハンドル４１の回転部材４５の少なくとも一つの指掛け部４７は、遊技盤側が開放した空間を内部に有し、遊技盤側に備えられた規制部材である指先接触片４４における回転部材側の端部外周の全周に、所定幅所定間隔で溝部４４ａが形成されている。また、指掛け部４７内部の空間には、溝部４４ａに挿入された挿入物Ｍを係止する係止溝４７ａが形成されている。
【００２８】
ここで、挿入物Ｍはコイン等の板状部材を用いることができる。また、溝部４４ａ及び係止溝４７ａの深さは、挿入物Ｍを挿入した状態を維持するために遊技者が指先で挿入物Ｍを抑え付けておく必要がある深さに設計することができる。
【００２９】
このような特徴を有する本発明の実施形態によると、回転部材４５のスラスト方向の移動を１対の規制部材（掌接片４３，指先接触片４４）で規制しているので、回転部材４５と規制部材との間に大きな間隙が生じることが無く、間隙へのコイン等の挿入を防いで発射ハンドル４１の損傷を防止することができる。
【００３０】
また、規制部材である指先接触片４４側の溝部４４ａと回転部材４５側の係止溝４７ａとにコイン等の挿入物を挿入することで、回転部材４５が仮保持されて、遊技者が回転部材４５を保持する保持力の一部を補うので、遊技者は長期間疲れなく発射ハンドル４１の回転位置を一定に保持することができる。
【００３１】
また、溝部４４ａと係止溝４７ａの深さを適宜設定することで、遊技者が発射ハンドル４１から手を離すと溝部４４ａと係止溝４７ａに挿入したコイン等が外れるように設定することで、不正な発射ハンドル４１の固定を防ぐことができる。
【００３２】
更に、遊技者は指先接触片４４の溝部４４ａに指先を当てて回転部材４５の位置を保持することで、指先の滑りを防いで、効果的に発射ハンドル４１の保持を行うことができる。
【図面の簡単な説明】
【００３３】
【図１】本発明の実施形態に係る遊技機としてのパチンコ機の正面図である。
【図２】図１の背面図である。
【図３】発射装置と発射ハンドルを設けてある受け皿ユニットを手前側斜め上方からみた皿ユニットの外観斜視図である。
【図４】発射ハンドルの側面図である。
【図５】発射ハンドルの正面図である。
【符号の説明】
【００３４】
１１ パチンコ機（遊技機）
１６ 遊技盤
３０ 発射制御基板
３１ 発射装置
４１ 発射ハンドル
４２ 本体
４３ 掌接片（規制部材）
４４ 指先接触片（規制部材）
４５ 回転部材
４５ａ 回転外周面
４６ 復帰ばね
４４ａ  溝部
４７ａ  係止溝
【図１】
2007236871.tif 000003
【図２】
2007236871.tif 000004
【図３】
2007236871.tif 000005
【図４】
2007236871.tif 000006
【図５】
2007236871.tif 000007